(57)【要約】【課題】目詰まり等の問題が発生せず、効率良く放射性物質を除去可能で、放射性物質の濃度が低下した被処理水を公共の河川、海に放流することが可能な被処理水中の放射性物質除去方法を提供することを目的とする。【解決手段】放射性物質を含む被処理水を下部に沈殿物取出手段と撹拌手段を備えた撹拌槽に投入する工程と、撹拌槽に木炭の微粉末を津入し撹拌する工程と、撹拌槽にブライオゾーア（北海道阿寒産、苔虫類の化石）の１ｍｍ以下の微粉末である無機系凝集剤を投入し、撹拌する工程と、撹拌槽の下部に沈殿した沈殿物を沈殿物取出手段を介して取出す工程と、取出した沈殿物を遠心分離機に投入し脱水する工程と、脱水された沈殿物を放射線遮蔽手段を備えた貯蔵施設に保管する工程と、放射性物質濃度が低下した被処理水を公共の河川、海に排水する工程と、を備えることを特徴とする。【選択図】  図１
2020091214.tif 000002
【特許請求の範囲】
【請求項１】
放射性物質を含む被処理水を下部に沈殿物取出手段と撹拌手段を備えた撹拌槽に投入する工程と、
撹拌槽に木炭の微粉末を津入し撹拌する工程と、
撹拌槽にブライオゾーア（北海道阿寒産、苔虫類の化石）の１ｍｍ以下の微粉末である無機系凝集剤を投入し、撹拌する工程と、
撹拌槽の下部に沈殿した沈殿物を沈殿物取出手段を介して取出す工程と、
取出した沈殿物を遠心分離機に投入し脱水する工程と、
脱水された沈殿物を放射線遮蔽手段を備えた貯蔵施設に保管する工程と、
放射性物質濃度が低下した被処理水を公共の河川、海に排水する工程と、
を備えることを特徴とする被処理水中の放射性物質除去方法。
【請求項２】
無機系凝集剤であるブライオゾーナの成分が、ｐＨ８．２１、Ｎ（窒素）０．００４％、Ｐ2０6（燐酸）０．１１８％、Ｋ2Ｏ（加里）０．３０８％、ＣａＯ（石灰）１４．４２％、ＣａＯ（可溶性石灰）１３．０６％、Ｍｇ０（苦土）１１．４７％，アルカリ分１４．０９％、Ｚｎ（亜鉛）４７５ｐｐｍ、Ｃｕ（銅）１６７ｐｐｍ、Ｆｅ（鉄）２．３８３％、Ｔ−Ｓｉ０２（ケイ酸）４４．４％であることを特徴とする請求項１に記載の被処理水中の放射性物質除去方法。
【請求項３】
放射線遮蔽手段を備えた貯蔵施設を、一対の箱形型枠部材を向き合わせに配置し、一対の箱形型枠部材を斜めに交差するブレース部材で連結して型枠ユニットを形成し、複数の型枠ユニットを縦方向、横方向に連設して矩形容器とし、一対の箱形型枠部材間の空間に放射線遮蔽部材であるバリウムと生コンクリート改質剤を加えたコンクリートモルタルを充填して固化させ一体化し、内壁又は外壁を防水加工をして構築することを特徴とする請求項１又は２に記載の被処理水中の放射性物質除去方法。
【発明の詳細な説明】
【技術分野】
【０００１】
本発明は、放射性物質を含有する被処理水から放射性物質を除去する方法に関する。
【０００２】
東日本大震災での福島第一原子力発電所の原子力事故により環境中に大量の放射性物質が放出され水や土壌等が広範囲にわたって汚染された。そのため、放射性物質で汚染された水や土壌等から放射性物質を除去することが求められている。なお、放射性物質で汚染された土壌や瓦礫等の除染は通常は水洗浄により行われ、この水洗浄の際にも放射性物質を含む水が発生する。放射性物質を含有する被処理水を除染する従来技術としては、ゼオライト系材料等の放射性物質を吸着する放射性物質吸着材が充填された吸着塔（ベッセル）や、前記放射性物質吸着材を含んで構成されるフィルタに被処理水を通すことにより、被処理水中の放射性物質を除去する方法が知られている
【先行技術文献】
【特許文献】
【０００３】
【特許文献１】特開２０１５−１０５８８４号公報
【発明の概要】
【発明が解決しようとする課題】
【０００４】
しかしながら、従来の放射性物質除去方法によれば、被処理水中には汚泥や懸濁物質）等が含まれるため、汚泥や懸濁物質が放射性物質吸着材に付着して目詰まりを起こす恐れがあった。目詰まりが生じた場合は放射性物質吸着材を交換する必要があるため、作業効率の低下及びコストの増加という問題が発生する。
【０００５】
本発明は、従来技術のもつ課題を解決する、目詰まり等の問題が発生せず、効率良く放射性物質を除去可能で、放射性物質の濃度が低下した被処理水を公共の河川、海に放流することが可能な被処理水中の放射性物質除去方法を提供することを目的とする。
【課題を解決するための手段】
【０００６】
本発明の被処理水中の放射性物質除去方法は、前記課題を解決するために、放射性物質を含む被処理水を下部に沈殿物取出手段と撹拌手段を備えた撹拌槽に投入する工程と、撹拌槽に木炭の微粉末を津入し撹拌する工程と、撹拌槽にブライオゾーア（北海道阿寒産、苔虫類の化石）の１ｍｍ以下の微粉末である無機系凝集剤を投入し、撹拌する工程と、撹拌槽の下部に沈殿した沈殿物を沈殿物取出手段を介して取出す工程と、取出した沈殿物を遠心分離機に投入し脱水する工程と、脱水された沈殿物を放射線遮蔽手段を備えた貯蔵施設に保管する工程と、放射性物質濃度が低下した被処理水を公共の河川、海に排水する工程と、を備えることを特徴とする。
【０００７】
また、本発明の被処理水中の放射性物質除去方法は、無機系凝集剤であるブライオゾーナの成分が、ｐＨ８．２１、Ｎ（窒素）０．００４％、Ｐ2０6（燐酸）０．１１８％、Ｋ2Ｏ（加里）０．３０８％、ＣａＯ（石灰）１４．４２％、ＣａＯ（可溶性石灰）１３．０６％、Ｍｇ０（苦土）１１．４７％，アルカリ分１４．０９％、Ｚｎ（亜鉛）４７５ｐｐｍ、Ｃｕ（銅）１６７ｐｐｍ、Ｆｅ（鉄）２．３８３％、Ｔ−Ｓｉ０２（ケイ酸）４４．４％であることを特徴とする。
【０００８】
また、本発明の被処理水中の放射性物質除去方法は、放射線遮蔽手段を備えた貯蔵施設を、一対の箱形型枠部材を向き合わせに配置し、一対の箱形型枠部材を斜めに交差するブレース部材で連結して型枠ユニットを形成し、複数の型枠ユニットを縦方向、横方向に連設して矩形容器とし、一対の箱形型枠部材間の空間に放射線遮蔽部材であるバリウムと生コンクリート改質剤を加えたコンクリートモルタルを充填して固化させ一体化し、内壁又は外壁を防水加工して構築することを特徴とする。
【発明の効果】
【０００９】
放射性物質を含む被処理水を下部に沈殿物取出手段と撹拌手段を備えた撹拌槽に投入する工程と、撹拌槽に木炭の微粉末を津入し撹拌する工程と、撹拌槽にブライオゾーア（北海道阿寒産、苔虫類の化石）の１ｍｍ以下の微粉末である無機系凝集剤を投入し、撹拌する工程と、撹拌槽の下部に沈殿した沈殿物を沈殿物取出手段を介して取出す工程と、取出した沈殿物を遠心分離機に投入し脱水する工程と、脱水された沈殿物を放射線遮蔽手段を備えた貯蔵施設に保管する工程と、放射性物質濃度が低下した被処理水を公共の河川、海に排水する工程と、を備えることで、木炭の微分末を投入することで被処理水の放射性物質が付着した塵埃を吸着し、さらに天然鉱物資源であるブライオゾーアからなる無機系凝集剤を使用するので環境負荷が低く、安全性が高く、被処理水中存在する放射性物質が付着した塵埃とイオン状の放射性物質を吸着凝固させて撹拌槽の下部に沈降させるので、効率良く被処理水中の放射性物質濃度が低下することが可能となる。また、撹拌槽下部に沈殿した沈殿物を遠心分離機により脱水した固形分を放射線遮蔽手段を備えた貯蔵施設に保管するので極めて安全で高効率の被処理水中の放射性物質除去方法を提供することが可能となる。
無機系凝集剤であるブライオゾーナの成分が、ｐＨ８．２１、Ｎ（窒素）０．００４％、Ｐ2０6（燐酸）０．１１８％、Ｋ2Ｏ（加里）０．３０８％、ＣａＯ（石灰）１４．４２％、ＣａＯ（可溶性石灰）１３．０６％、Ｍｇ０（苦土）１１．４７％，アルカリ分１４．０９％、Ｚｎ（亜鉛）４７５ｐｐｍ、Ｃｕ（銅）１６７ｐｐｍ、Ｆｅ（鉄）２．３８３％、Ｔ−Ｓｉ０2（ケイ酸）４４．４％であることで、被処理水中に投入されると酸素を発生し、好気性菌及び光合成菌を活性化し放射性物質が付着した塵埃を分解し、さらに、ブライオゾーアからなる無機系凝集剤は多孔質であるため、放射性物質が付着した塵埃とイオン状の放射性物質を吸着凝固させて撹拌槽の下部に沈降させる被処理水中の放射性物質濃度を低下摺ることが可能となる。
放射線遮蔽手段を備えた貯蔵施設を、一対の箱形型枠部材を向き合わせに配置し、一対の箱形型枠部材を斜めに交差するブレース部材で連結して型枠ユニットを形成し、複数の型枠ユニットを縦方向、横方向に連設して矩形容器とし、一対の箱形型枠部材間の空間に放射線遮蔽部材であるバリウムと生コンクリート改質剤を加えたコンクリートモルタルを充填して固化させ一体化し、内壁又は外壁を防水加工をして構築することで、組立て作業が容易で、コンクリートと一体化して放射線遮蔽性能の高い貯蔵施設を構築することが可能となる。
【図面の簡単な説明】
【００１０】
【図１】本発明の実施形態を示す図である。
【図２】（ａ）（ｂ）（ｃ）本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【発明を実施するための形態】
【００１１】
本発明の実施の形態を図により説明する。図１本発明の被処理水中の放射性物質除去方法の概略図である。
【００１２】
放射性物質を含む被処理水１を被処理水供給ポンプ２により撹拌槽３に投入する。撹拌槽3内には、駆動手段４により回転駆動する撹拌翼５が配置される。被処理水１内には、放射性セシウム等の放射性物質が付着した塵埃とイオン状の放射性物質を含んでいる。
【００１３】
被処理水１が投入された撹拌槽３に、木炭微粉末貯蔵タンク１３から木炭の微粉末を投入し、撹拌翼５を駆動し撹拌する。木炭の微粉末は多孔質で被処理水中の放射性物質が付着した塵埃を吸着する機能を有している。
【００１４】
次の工程は、無機系凝集剤貯蔵タンク６から無機系凝集剤が投入される。本発明で使用される無機系凝集剤は、北海道阿寒産の苔虫類の化石であるブライオゾーアの１ｍｍ以下の微粒子（商品名：モスナイト、環境技研アース・クラスター株式会社製）である。
【００１５】
無機系凝集剤であるブライオゾーアの成分は、ｐＨ８．２１、Ｎ（窒素）０．００４％、Ｐ2０6（燐酸）０．１１８％、Ｋ2Ｏ（加里）０．３０８％、ＣａＯ（石灰）１４．４２％、ＣａＯ（可溶性石灰）１３．０６％、Ｍｇ０（苦土）１１．４７％，アルカリ分１４．０９％、Ｚｎ（亜鉛）４７５ｐｐｍ、Ｃｕ（銅）１６７ｐｐｍ、Ｆｅ（鉄）２．３８３％、Ｔ−Ｓｉ０2（ケイ酸）４４．４％である。
【００１６】
ブライオゾーアからなる無機系凝集剤は、被処理水中に投入されると酸素を発生し、好気性菌及び光合成菌を活性化し放射性物質が付着した塵埃を分解する機能を有している。さらに、ブライオゾーアからなる無機系凝集剤は多孔質であるため、前の工程で放射性物質が付着した木炭の微粉末、放射性物質が付着した塵埃、イオン状の放射性物質を吸着凝固させて撹拌槽３の下部に沈降させる機能を有している。
【００１７】
このような機能を有する無機系凝集剤であるブライオゾーアを被処理水に投入して撹拌することにより、効率良く被処理水中に存在する放射性物質が付着した塵埃とイオン状の放射性物質を吸着凝固させて撹拌槽３の下部に沈降させるので、被処理水中の放射性物質濃度が低下する。
【００１８】
撹拌槽３の下部に沈殿した沈殿物７は、撹拌槽３内での無機性凝集剤であるブライオゾーアと被処理水１との撹拌後に沈殿物取出手段８により取り出され、遠心分離機９に送られる。
【００１９】
遠心分離機９により脱水された固形分は放射線遮蔽袋に入れられ、放射線遮蔽手段を備えた貯蔵施設１０に保管される。
【００２０】
撹拌槽３内の放射性物質濃度が国の規定する濃度以下に低下した被処理水は、放射性物質濃度低下被処理水排出ポンプ１１により汲みだされ公共の河川、海等に排水される。
【００２１】
遠心分離機９により脱水後に発生する液体は、次の処理工程の被処理水１と一緒に遠心分離機液体排水ポンプ１２により撹拌槽３に投入される。
【００２２】
図２（ａ）（ｂ）（ｃ）は、放射線遮蔽手段を備えた貯蔵施設１０の構築するための箱形型枠部材１４の正面図、上面図、側面図である。
【００２３】
箱形型枠部材１４は、矩形の平板部１４ａ、平板部１４ａから直角方向に水平に伸びる上フランジ部１４ｂ、中フランジ部１４ｃ、下フランジ部１４ｄ、左フランジ部１４ｅ、右フランジ部１４ｆを備えている。
【００２４】
上フランジ部１４ｂと下フランジ部１４ｄの先端に縦位置決め爪部材１８を固定し、左フランジ部１４ｅ、右フランジ部１４ｆの先端に横位置決め爪部材１９を固定する。
【００２５】
上フランジ部１４ｂ、中フランジ部１４ｃ、下フランジ部１４ｄには、縦鉄筋挿通孔１４ｇと斜めブレース連結孔１４ｈが複数形成される。左フランジ部１４ｅと右フランジ部１４ｆには、横鉄筋挿通孔１４ｉが形成される。
【００２６】
図３は、一対の箱形型枠部材１４を向き合わせて配置し、一対の箱形型枠部材１４の上フランジ部１４ｂ、中フランジ部１４ｃ、下フランジ部１４ｄ同士を複数の斜めブレース部材１５で連結して型枠ユニット１６を形成した正面図であり、図４は、図３のＡ−Ａ線切断面図である。
【００２７】
一対の箱形型枠部材１４の一方の箱形型枠部材１４の上フランジ部１４ｂ、中フランジ部１４ｃ、下フランジ部１４ｄに形成した斜めブレース連結孔１４ｈに斜めブレース部材１５の一端をピン１５ａで連結し、斜めブレース部材１５の他端を他方の箱形型枠部材１４の上フランジ部１４ｂ、中フランジ部１４ｃ、下フランジ部１４ｄに形成した斜めブレース連結孔１４ｈにピン１５ａで連結する。複数の斜めブレース部材１５が交差するように配置する。斜めブレース部材の交差部をピン１５ａで連結する。
【００２８】
斜めブレース部材１５の連結が緩い状態の状態で、斜めブレース部材１５を回動させ、一対の箱形型枠部材１４間の距離を設計された貯蔵施設１０の壁厚、床厚になるように調節し、その後、斜めブレース部材１５の連結を確実にするようにピン１５ａを締付け型枠ユニット１６を形成する。斜めブレース部材１５は交差するように配置されるので固化材と一体化してトラス構造を形成するので補強効果が増大する。
【００２９】
斜めブレース部材１５で連結して形成される型枠ユニット１６は工場で組み立て、放射線遮蔽手段を備えた貯蔵施設１０の構築現場に運搬し、構築現場で組み立てる。
【００３０】
図５は、複数の型枠ユニット１６を縦方向、横方向に連設して構築される放射線遮蔽手段を備えた貯蔵施設１０の上面図であり、図６は、図５のＢ−Ｂ線切断面図である。
【００３１】
複数の型枠ユニット１６を縦方向、横方向に連設して矩形容器状の貯蔵施設を形成する。複数の型枠ユニット１６の縦方向、横方向の連設は縦位置決め爪部材18、横位置決め爪部材１９により正確に実施することが可能となる。
【００３２】
複数の型枠ユニット１６の縦方向の連設は、上フランジ部１４ｂ、中フランジ部１４ｃ、下フランジ部１４ｄに形成した縦鉄筋挿通孔１４ｇに縦鉄筋（図示せず）を挿通しナットを螺着して固定する。複数の型枠ユニット１６の横方向の連設は、左フランジ部１４ｅと右フランジ部１４ｆに形成した横鉄筋挿通孔１４ｉに横鉄筋（図示せず）を挿通しナットを螺着して固定する。
【００３３】
複数の型枠ユニット１６を縦方向、横方向に連設して矩形容器状とした後、一対の箱形型枠部材１４間の空間に放射線遮蔽物質であるバリウムと生コンクリート改良剤を加えたコンクリートモルタルを充填し固化させ一体化する。
【００３４】
放射線遮蔽物質であるバリウムは、入手が容易で軽量であり取り扱いの容易な物質であり放射線遮蔽効果が高い物質である。本発明に用いる生コンクリート改質剤は、人工ゼオライトに特殊界面活性剤を均一に練り込んだ商品名エコ・パワーファイブ（ワーク・ファイン株式会社製）であり、陽イオン、陰イオンによる電離作用の働きがイオン結合により一層促進し、水分子を緻密化してセメント粒子の結合が増大する。これにより、セメントの分散性が高まり、且つブリーチングの減少、コンクリートの緻密化を図ることが可能となる。
【００３５】
型枠ユニット１６に充填された生コンクリートが固化した後、矩形容器状の貯蔵施設１０の内壁又は外壁に耐久性のある防水手段１６を配置する遠心分離機９により脱水された固形分は、貯蔵施設１０の水18中に投入する。放射線遮蔽手段を備えた貯蔵施設１０の貯蔵可能容量に達する貯蔵施設１０の上部開口を複数の型枠ユニット１６を連接した蓋部材で蓋をし、セシウムの半減期まで貯蔵する。
【００３６】
以上のように、本発明の被処理水中の放射性物質除去方法によれば、天然鉱物資源であるブライオゾーアからなる無機系凝集剤を使用するので環境負荷が低く、安全性が高く、被処理水中存在する放射性物質が付着した塵埃とイオン状の放射性物質を吸着凝固させて撹拌槽の下部に沈降させるので、効率良く被処理水中の放射性物質濃度が低下することが可能となる。また、撹拌槽下部に沈殿した沈殿物を遠心分離機により脱水した固形分を放射線遮蔽手段を備えた貯蔵施設に保管するので極めて安全で高効率の被処理水中の放射性物質除去方法を提供することが可能となる。
【符号の説明】
【００３７】
１：被処理水、２：被処理水供給ポンプ、３：撹拌槽、４：駆動手段、５：撹拌翼、６：無機系凝集剤貯蔵タンク、７：沈殿物、８：沈殿物取出手段、９：遠心分離機、１０：貯蔵施設、１１：放射性物質濃度低下被処理水排出ポンプ、１２：遠心分離機液体排水ポンプ、１３：木炭微粉末貯蔵タンク、１４：箱形型枠部材、１４ａ：平板部、１４ｂ：上フランジ部、１４ｃ：中フランジ部、１４ｄ：下フランジ部、１４ｅ：左フランジ部、１４ｆ：右フランジ部、１４ｇ：縦鉄筋挿通孔、１４ｈ：斜めブレース連結孔、１４ｉ：横鉄筋挿通孔、１５：斜めブレース部材、１５ａ：ピン、１６：型枠ユニット、１７：防水手段、、１８：縦位置決め爪部材、１９：横位置決め爪部材
【図１】
2020091214.tif 000003
【図２】
2020091214.tif 000004
【図３】
2020091214.tif 000005
【図４】
2020091214.tif 000006
【図５】
2020091214.tif 000007
【図６】
2020091214.tif 000008
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
放射性物質を含む被処理水を下部に沈殿物取出手段と撹拌手段を備えた撹拌槽に投入する工程と、
撹拌槽に木炭の微粉末を投入し撹拌する工程と、
撹拌槽に成分が、ｐＨ８．２１、Ｎ（窒素）０．００４％、Ｐ2０6（燐酸）０．１１８％、Ｋ2Ｏ（加里）０．３０８％、ＣａＯ（石灰）１４．４２％、ＣａＯ（可溶性石灰）１３．０６％、Ｍｇ０（苦土）１１．４７％，アルカリ分１４．０９％、Ｚｎ（亜鉛）４７５ｐｐｍ、Ｃｕ（銅）１６７ｐｐｍ、Ｆｅ（鉄）２．３８３％、Ｔ−Ｓｉ０２（ケイ酸）４４．４％であるブライオゾーア（苔虫類の化石）の１ｍｍ以下の微粉末である無機系凝集剤を投入し、撹拌する工程と、
撹拌槽の下部に沈殿した沈殿物を沈殿物取出手段を介して取出す工程と、
取出した沈殿物を遠心分離機に投入し脱水する工程と、
脱水された沈殿物を、放射線遮蔽手段を備えた貯蔵施設に保管する工程と、
放射性物質濃度が低下した被処理水を公共の河川、海に排水する工程と、
を備えることを特徴とする被処理水中の放射性物質除去方法。
【請求項２】
放射線遮蔽手段を備えた貯蔵施設を、一対の箱形型枠部材を向き合わせに配置し、一対の箱形型枠部材されるを斜めに交差するブレース部材で連結して型枠ユニットを形成し、複数の型枠ユニットを縦方向、横方向に連設して矩形容器とし、一対の箱形型枠部材間の空間に放射線遮蔽部材であるバリウムと生コンクリート改質剤を加えたコンクリートモルタルを充填して固化させ一体化し、内壁又は外壁を防水加工をして構築することを特徴
とする請求項１に記載の被処理水中の放射性物質除去方法。
【手続補正２】
【補正対象書類名】明細書
【補正対象項目名】０００６
【補正方法】変更
【補正の内容】
【０００６】
本発明の被処理水中の放射性物質除去方法は、前記課題を解決するために、放射性物質を含む被処理水を下部に沈殿物取出手段と撹拌手段を備えた撹拌槽に投入する工程と、撹拌槽に木炭の微粉末を投入し撹拌する工程と、撹拌槽に成分が、ｐＨ８．２１、Ｎ（窒素）０．００４％、Ｐ2０6（燐酸）０．１１８％、Ｋ2Ｏ（加里）０．３０８％、ＣａＯ（石灰）１４．４２％、ＣａＯ（可溶性石灰）１３．０６％、Ｍｇ０（苦土）１１．４７％，アルカリ分１４．０９％、Ｚｎ（亜鉛）４７５ｐｐｍ、Ｃｕ（銅）１６７ｐｐｍ、Ｆｅ（鉄）２．３８３％、Ｔ−Ｓｉ０２（ケイ酸）４４．４％であるブライオゾーア（苔虫類の化石）の１ｍｍ以下の微粉末である無機系凝集剤を投入し、撹拌する工程と、撹拌槽の下部に沈殿した沈殿物を沈殿物取出手段を介して取出す工程と、取出した沈殿物を遠心分離機に投入し脱水する工程と、脱水された沈殿物を、放射線遮蔽手段を備えた貯蔵施設に保管する工程と、放射性物質濃度が低下した被処理水を公共の河川、海に排水する工程と、を備えることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】
放射性物質を含む被処理水を下部に沈殿物取出手段と撹拌手段を備えた撹拌槽に投入する工程と、撹拌槽に木炭の微粉末を投入し撹拌する工程と、撹拌槽に成分が、ｐＨ８．２１、Ｎ（窒素）０．００４％、Ｐ2０6（燐酸）０．１１８％、Ｋ2Ｏ（加里）０．３０８％、ＣａＯ（石灰）１４．４２％、ＣａＯ（可溶性石灰）１３．０６％、Ｍｇ０（苦土）１１．４７％，アルカリ分１４．０９％、Ｚｎ（亜鉛）４７５ｐｐｍ、Ｃｕ（銅）１６７ｐｐｍ、Ｆｅ（鉄）２．３８３％、Ｔ−Ｓｉ０２（ケイ酸）４４．４％であるブライオゾーア（苔虫類の化石）の１ｍｍ以下の微粉末である無機系凝集剤を投入し、撹拌する工程と、撹拌槽の下部に沈殿した沈殿物を沈殿物取出手段を介して取出す工程と、取出した沈殿物を遠心分離機に投入し脱水する工程と、脱水された沈殿物を、放射線遮蔽手段を備えた貯蔵施設に保管する工程と、放射性物質濃度が低下した被処理水を公共の河川、海に排水する工程と、を備えることで、木炭の微分末を投入することで被処理水の放射性物質が付着した塵埃を吸着し、さらに天然鉱物資源であるブライオゾーアからなる無機系凝集剤を使用するので環境負荷が低く、安全性が高く、被処理水中存在する放射性物質が付着した塵埃とイオン状の放射性物質を吸着凝固させて撹拌槽の下部に沈降させるので、効率良く被処理水中の放射性物質濃度が低下することが可能となる。また、撹拌槽下部に沈殿した沈殿物を遠心分離機により脱水した固形分を放射線遮蔽手段を備えた貯蔵施設に保管するので極めて安全で高効率の被処理水中の放射性物質除去方法を提供することが可能となり、被処理水中に投入されると酸素を発生し、好気性菌及び光合成菌を活性化し放射性物質が付着した塵埃を分解し、さらに、ブライオゾーアからなる無機系凝集剤は多孔質であるため、放射性物質が付着した塵埃とイオン状の放射性物質を吸着凝固させて撹拌槽の下部に沈降させる被処理水中の放射性物質濃度を低下摺ることが可能となる。
放射線遮蔽手段を備えた貯蔵施設を、一対の箱形型枠部材を向き合わせに配置し、一対の箱形型枠部材を斜めに交差するブレース部材で連結して型枠ユニットを形成し、複数の型枠ユニットを縦方向、横方向に連設して矩形容器とし、一対の箱形型枠部材間の空間に放射線遮蔽部材であるバリウムと生コンクリート改質剤を加えたコンクリートモルタルを充填して固化させ一体化し、内壁又は外壁を防水加工をして構築することで、組立て作業が容易で、コンクリートと一体化して放射線遮蔽性能の高い貯蔵施設を構築することが可能となる。